【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、フォーカシングに際して光軸方向に移動する負の屈折力の第２レンズ群、正又は負の屈折力の第３レンズ群、を有する撮影光学系であって、
前記第１レンズ群よりも像側に配置され軸上最大光束径を決定する開口部を有し、
光軸方向における前記開口部からの距離をｄｓｐ−Ａ、最も物体側のレンズの物体側面頂点から像面までの光軸上の長さをＬ、とするとき、
０．００＜ｄｓｐ−Ａ／Ｌ＜０．１２
なる条件を満足する距離ｄｓｐ−Ａの範囲内に物体側面頂点が位置する光学素子Ａを少なくとも１つ有し、
全系の焦点距離をｆ、全系のパワーをφ、前記第１レンズ群の焦点距離をｆ１、無限遠物体にフォーカスしたときの開放ＦナンバーをＦｎｏ、前記第１レンズ群における最も物体側のレンズの物体側面頂点から前記第１レンズ群における最も像側のレンズの像側面頂点までの光軸上の長さをｄ１、前記光学素子ＡのパワーをφＡ、前記光学素子Ａを構成する材料のｄ線基準のアッベ数及び部分分散比差の夫々をνｄＡ及びΔθｇＦＡ、とするとき、
４．０＜ｆ２／（ｆ１×Ｆｎｏ×ｄ１）＜１０．０
−０．１０＜ΔθｇＦＡ×φＡ／（νｄＡ×φ）＜−０．０１
なる条件を満足することを特徴とする撮影光学系。
【請求項２】
前記光学素子Ａを構成する材料の部分分散比及び光学特性の夫々をθｇＦＡ及びＡθ１とし、
Ａθ１＝θｇＦＡ−θｇＦＢ１
θｇＦＢ１＝−１×１０−９×νｄＡ４＋５×１０−８×νｄＡ３＋７．５×１０−５×νｄＡ２−７×１０−３×νｄＡ＋０．７２１
とおいたとき、
０．０２７２＜Ａθ１＜０．３０００
なる条件を満足することを特徴とする請求項１に記載の撮影光学系。
【請求項３】
前記光学素子Ａを構成する材料の部分分散比及び光学特性の夫々をθｇＦＡ及びＡθ２とし、
Ａθ２＝θｇＦＡ−θｇＦＢ２
θｇＦＢ２＝−１．６７×１０−７×νｄＡ３＋５．２１×１０−５×νｄＡ２−５．６６×１０−３×νｄＡ＋０．７２７８
とおいたとき、
−０．５０００＜Ａθ２＜−０．０２７２
なる条件を満足することを特徴とする請求項１に記載の撮影光学系。
【請求項４】
５＜νｄＡ＜６０
なる条件を満足することを特徴とする請求項１乃至３のいずれか１項に記載の撮影光学系。
【請求項５】
前記光学素子Ａは、回折光学素子であることを特徴とする請求項１乃至４のいずれか１項に記載の撮影光学系。
【請求項６】
無限遠物体にフォーカスしたときの前記第１レンズ群と前記第２レンズ群との合成焦点距離をｆ１２とするとき、
２．０＜ｆ２／（ｆ１２×Ｌ）＜１０．０
なる条件を満足することを特徴とする請求項１乃至５のいずれか１項に記載の撮影光学系。
【請求項７】
前記第１レンズ群に含まれる正レンズのパワーの総和及び負レンズのパワーの総和の夫々をφＰＳＵＭ及びφＮＳＵＭとするとき、
１．４＜φＰＳＵＭ／│φＮＳＵＭ│＜３．０
なる条件を満足することを特徴とする請求項１乃至６のいずれか１項に記載の撮影光学系。
【請求項８】
光軸方向における前記開口部からの像側への距離をｄｓｐ−Ｒ、前記開口部から像面までの光軸上の長さをｄｓｐ−ｉｍｇ、とするとき、
０．３０＜ｄｓｐ−Ｒ／ｄｓｐ−ｉｍｇ＜１．００
なる条件を満足する距離ｄｓｐ−Ｒの範囲内に物体側頂点が位置する光学素子Ｒを少なくとも１つ有し、
物体側から数えて第ｉ番目の前記光学素子Ａについて、パワーをφＡｉ、材料のｄ線基準のアッベ数及び部分分散比差の夫々をνｄＡｉ及びΔθｇＦＡｉ、とし、物体側から数えて第ｋ番目の前記光学素子Ｒについて、パワーをφＲｋ、材料のｄ線基準のアッベ数及び部分分散比差の夫々をνｄＲｋ及びΔθｇＦＲｋ、とするとき、
【数１】
2013025087.tif 000001
なる条件を満足することを特徴とする請求項１乃至７のいずれか１項に記載の撮影光学系。
【請求項９】
前記光学素子Ｒを構成する材料のアッベ数、部分分散比及び光学特性の夫々をνｄＲ、θｇＦＲ及びＲθ１とし、
Ｒθ１＝θｇＦＲ−θｇＦＢＲ１
θｇＦＢＲ１＝−１×１０−９×νｄＲ４＋５×１０−８×νｄＲ３＋７．５×１０−５×νｄＲ２−７×１０−３×νｄＲ＋０．７２１
とおいたとき、
０．０２７２＜Ｒθ１＜０．３０００
なる条件を満足することを特徴とする請求項８に記載の撮影光学系。
【請求項１０】
前記光学素子Ｒを構成する材料の部分分散比及び光学特性の夫々をθｇＦＲ及びＲθ２とし、
Ｒθ２＝θｇＦＲ−θｇＦＢＲ２
θｇＦＢＲ２＝−１．６７×１０−７×νｄＲ３＋５．２１×１０−５×νｄＲ２−５．６６×１０−３×νｄＲ＋０．７２７８
とおいたとき、
−０．５０００＜Ｒθ２＜−０．０２７２
なる条件を満足することを特徴とする請求項８に記載の撮影光学系。
【請求項１１】
５＜νｄＲ＜６０
なる条件を満足することを特徴とする請求項８乃至１０のいずれか１項に記載の撮影光学系。
【請求項１２】
前記第１レンズ群は、物体側から像側へ順に、正レンズ、物体側に凸面を向けたメニスカス形状の正レンズ、接合レンズ、を有し、前記メニスカス形状の正レンズの物体側面の曲率半径及び像側面の曲率半径の夫々をＲＭ１及びＲＭ２、前記メニスカス形状の正レンズを構成する材料のアッベ数をνＭ、とするとき、
０．１＜（ＲＭ２−ＲＭ１）／（ＲＭ１＋ＲＭ２）＜０．５
１５＜νＭ＜３０
なる条件を満足することを特徴とする請求項１乃至１１のいずれか１項に記載の撮影光学系。
【請求項１３】
前記第１レンズ群及び第２レンズ群に配置されたレンズのうち、物体側から数えて第ｉ番目のレンズについて、パワーをφＧｉ、材料のｄ線基準のアッベ数及び部分分散比差の夫々νｄＧｉ及びΔθｇＦＧｉ、とするとき、
【数２】
2013025087.tif 000002
なる条件を満足することを特徴とする請求項１乃至１２のいずれか１項に記載の撮影光学系。
【請求項１４】
最も物体側のレンズの物体側面頂点から前記開口部までの光軸上の長さをｄ−ｓｐとするとき、
４．０＜ｆ２／（ｄ−ｓｐ×Ｌ）＜８．０
なる条件を満足することを特徴とする請求項１乃至１３のいずれか１項に記載の撮影光学系。
【請求項１５】
前記第３レンズ群は、物体側から像側へ順に、固定の第３１レンズ群、光軸に垂直な方向の成分を持つ方向に移動する第３２レンズ群、固定の第３３レンズ群、を有することを特徴とする請求項１乃至１４のいずれか１項に記載の撮影光学系。
【請求項１６】
請求項１乃至１５のいずれか１項に記載の撮影光学系と、該撮影光学系によって形成された像を受光する撮像素子と、を有することを特徴とする撮像装置。
【手続補正２】
【補正対象書類名】明細書
【補正対象項目名】００１４
【補正方法】変更
【補正の内容】
【００１４】
本発明の撮影光学系は、物体側から像側へ順に、正の屈折力の第１レンズ群、フォーカシングに際して光軸方向に移動する負の屈折力の第２レンズ群、正又は負の屈折力の第３レンズ群、を有する撮影光学系であって、
前記第１レンズ群よりも像側に配置され軸上最大光束径を決定する開口部を有し、
光軸方向における前記開口部からの距離をｄｓｐ−Ａ、最も物体側のレンズの物体側面頂点から像面までの光軸上の長さをＬ、とするとき、
０．００＜ｄｓｐ−Ａ／Ｌ＜０．１２
なる条件を満足する距離ｄｓｐ−Ａの範囲内に物体側面頂点が位置する光学素子Ａを少なくとも１つ有し、
全系の焦点距離をｆ、全系のパワーをφ、前記第１レンズ群の焦点距離をｆ１、無限遠物体にフォーカスしたときの開放ＦナンバーをＦｎｏ、前記第１レンズ群における最も物体側のレンズの物体側面頂点から前記第１レンズ群における最も像側のレンズの像側面頂点までの光軸上の長さをｄ１、前記光学素子ＡのパワーをφＡ、前記光学素子Ａを構成する材料のｄ線基準のアッベ数及び部分分散比差の夫々をνｄＡ及びΔθｇＦＡ、とするとき、
４．０＜ｆ２／（ｆ１×Ｆｎｏ×ｄ１）＜１０．０
−０．１０＜ΔθｇＦＡ×φＡ／（νｄＡ×φ）＜−０．０１
なる条件を満足することを特徴としている。
【手続補正３】
【補正対象書類名】明細書
【補正対象項目名】００１９
【補正方法】変更
【補正の内容】
【００１９】
第３レンズ群Ｌ３は物体側から像側へ順に、固定の第３１レンズ群Ｌ３１、光軸に対し垂直方向の成分を持つように移動して画像を光軸方向に対し垂直に変移させる第３２レンズ群Ｌ３２、固定の第３３レンズ群Ｌ３３を有する。Ｇは光学フィルター、フェースプレート等であり、ガラスブロックとして示している。ＩＰは像面であり、ビデオカメラやデジタルカメラの撮影光学系として使用する際には像を受光するＣＣＤセンサやＣＭＯＳセンサ等の撮像素子（光電変換素子）の撮像面が、銀塩フィルム用カメラの撮像光学系とし使用する際にはフィルム面に相当する。
【手続補正４】
【補正対象書類名】明細書
【補正対象項目名】０１７９
【補正方法】変更
【補正の内容】
【０１７９】
以下に本発明の実施例１〜１４に対応する数値実施例１〜１４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。ｆ、Fno、２ωはそれぞれ無限遠物体に焦点を合わせたときの全系の焦点距離、Ｆナンバー、画角（度）を表している。BFはバックフォーカスであり、最終面（ガラス面）から像面までの距離で表している。レンズ全長は第１レンズ面から像面までの距離で表している。